(57)【要約】      （修正有）【課題】溶接作業やボルトやナット等の締め込みが不要で、構造材に簡易に取り付けることができるリップ溝形鋼用取付部材を提供する。【解決手段】取付部材１は、上フランジ６２から上歯６２１が、下フランジ６３から下歯６３１がそれぞれ開口部６４に臨むリップ溝形鋼からなる構造材６に内外装材を敷設するための部材で、組付状態において構造材６の側面に並立して構造材６の上方へ延在し、構造材６の開口部６４から内部に位置させる足部分２、構造材６の上面に位置させる腕部分３、構造材６の側面に並立させる胴部分４、上端の頭部分５とからなるフレーム固定部１０と構造材６に対する規制手段３を備え、胴部分４と足部分２との境には、上方が開放する上方係止溝４２１及び下方が開放する下方係止溝４２２を設け、上方係止溝４２１が構造材６の上歯６２１に、下方係止溝４２２が構造材６の下歯６３１に位置するよう固定し規制手段３にて一体的に固定する。【選択図】図１
2014125833.tif 000002
【特許請求の範囲】
【請求項１】
上フランジから上歯が、下フランジから下歯がそれぞれ開口部に臨むリップ溝形鋼からなる構造材に内外装材等を敷設するために用いる取付部材であって、
前記取付部材は、組付状態において構造材の側面に並立すると共に構造材の上方へ延在し、構造材の開口部からその内部に位置させる足部分と、構造材の側面に並立させる胴部分と、上端の頭部分とからなるフレーム固定部と、構造材に対する規制手段と、を備え、前記胴部分と前記足部分との境には、上方が開放する上方係止溝及び下方が開放する下方係止溝を設け、
上方係止溝が構造材の上歯に、下方係止溝が構造材の下歯に位置するように固定すると共に規制手段にて一体的に固定することを特徴とするリップ溝形鋼用取付部材。
【請求項２】
規制手段は、胴部分から延在する腕部分を構造材に係止するものであることを特徴とする請求項１に記載のリップ溝形鋼用取付部材。
【請求項３】
フレーム固定部は、中空部を挟んで左右の側壁が対向する枠体であることを特徴とする請求項１又は２に記載のリップ溝形鋼用取付部材。
【請求項４】
上フランジから上歯が、下フランジから下歯がそれぞれ開口部に臨むリップ溝形鋼からなる構造材に請求項１〜３の何れか一項に記載の取付部材を取り付け固定し、隣り合う取付部材間に外装材を配し、外装材の側縁成形部を取付部材の頭部分に取り付けてなることを特徴とする外装構造。
【請求項５】
上フランジから上歯が、下フランジから下歯がそれぞれ開口部に臨むリップ溝型鋼からなる構造材に請求項１〜３の何れか一項に記載の取付部材を取り付ける施工方法であり、
フレーム固定部の足部分を傾倒状に構造材の開口部に配し、下歯の所定箇所に下方係止溝を係止した状態で回転させることにより、上方係止溝を構造材の上歯に位置させると共に規制手段にて一体的に固定することを特徴とするリップ溝形鋼用取付部材の施工方法。
【発明の詳細な説明】
【技術分野】
【０００１】
本発明は、溶接作業もボルトやナット等の締め込みも不要であり、構造材に簡易かつ迅速に取り付けることができる取付部材、その施工方法、それを用いた外装構造に関する。
【背景技術】
【０００２】
従来、折板を葺く場合は母屋又は梁にタイトフレームを溶接より固定する方法が選択されていたが、溶接機等の電気工具が必要であり、工事の周囲には騒音の問題もあり、しかもある程度の作業時間を要した。このように溶接作業は、作業時間がかかる上に溶接の火花（飛び火）に対する処置が必要であった。
【０００３】
そのため、騒音や飛び火に配慮した工法が望まれており、各種形鋼等からなる躯体を構成する構造材に溶接を行うことなく受け金具等を取り付ける方法として、例えば特許文献１，２等が提案されている。
特許文献１には、Ｃ型鋼やＬ型鋼である屋根下地材（構造材）の下向き片に掛止する第１金具と、構造材上に配設する第２金具とをボルトナットにて一体化した固定金具が記載されている。
また、特許文献２には、上部取付部材と下部取付部材とからなるボルトナットにて一体化して取付具とし、該取付具を、受金具にボルトナットにて一体的に固定してＬ型鋼である構造材に取り付けた構造が記載されている。
【先行技術文献】
【特許文献】
【０００４】
【特許文献１】特開２００８−２７４５７１号公報
【特許文献２】特開２００７−５６６３０号公報
【発明の概要】
【発明が解決しようとする課題】
【０００５】
しかし、前記特許文献１の固定金具も、前記特許文献２の構造も、ボルトナットにて一体化する構成であるため、締め付け作業が面倒であり、電動工具を用いると騒音を発生させるものであった。また、ナットの外径に応じたレンチやスパナ等の締め付け用の治具を用いて作業を実施するため、それらの治具を準備したり、作業者が現場まで持ち運ぶ必要もあった。
また、締め付けに際し、ボルト自体は各部材などに組み付けられていても、その先端に締め付けるナットは、作業者が作業場まで持ち運んで取り付ける必要があるため、部材管理が面倒であった。さらに、作業場である高所からナットや治具が落下する可能性があるため、作業上の危険があった。
【０００６】
そこで、本発明は、溶接作業もボルトやナット等の締め込みも不要であり、構造材に簡易かつ迅速に取り付けることができるリップ溝形鋼用取付部材、その施工方法、及びそれを用いた外装構造を提供することを目的とする。
【課題を解決するための手段】
【０００７】
本発明は、上記に鑑み提案されたもので、上フランジから上歯が、下フランジから下歯がそれぞれ開口部に臨むリップ溝形鋼からなる構造材に内外装材等を敷設するために用いる取付部材であって、前記取付部材は、組付状態において構造材の側面に並立すると共に構造材の上方へ延在し、構造材の開口部からその内部に位置させる足部分と、構造材の側面に並立させる胴部分と、上端の頭部分とからなるフレーム固定部と、構造材に対する規制手段と、を備え、前記胴部分と前記足部分との境には、上方が開放する上方係止溝及び下方が開放する下方係止溝を設け、構造材の上歯が上方係止溝に、下歯が下方係止溝に位置するように固定すると共に規制手段にて一体的に固定することを特徴とする取付部材に関するものである。
【０００８】
また、本発明は、前記取付部材において、規制手段は、構造材に係止する腕部分であって、構造材に係止することを特徴とする取付部材をも提案する。
【０００９】
また、本発明は、前記取付部材において、フレーム固定部は、中空部を挟んで左右の側壁が対向する金属枠体であることを特徴とする取付部材をも提案する。
【００１０】
さらに、本発明は、上フランジから上歯が、下フランジから下歯がそれぞれ開口部に臨むリップ溝型鋼からなる構造材に前記取付部材のフレーム固定部を取り付け固定し、隣り合う取付部材間に外装材を配し、外装材の側縁成形部を取付部材の頭部分に取り付けてなることを特徴とする外装構造をも提案するものである。
【００１１】
さらに、本発明は、上フランジから上歯が、下フランジから下歯がそれぞれ開口部に臨むリップ溝型鋼からなる構造材に前記取付部材のフレーム固定部の足部分を傾倒状に構造材の開口部に配し、下歯の所定箇所に下方係止溝を係止した状態で回転させることにより、上方係止溝を構造材の上歯に位置させるように固定すると共に規制手段にて一体的に固定することを特徴とする取付部材の施工方法をも提案するものである。
【発明の効果】
【００１２】
本発明の取付部材は、リップ溝形鋼からなる構造材（母屋）に折板屋根を簡単に素早く固定するための金具であって、電動工具を使用することなく弾性的な付勢及び規制手段によって取り付けることができるため「音」の発生が極めて少なく、近隣への配慮がなされた工法を実施できる。また、「音」の発生が極めて少ないため、夜間等においても取付が行える。さらに、ボルトやナット等の締め込みも不要であるため、幹線道路や鉄道等の近隣地域での微振動による締着のゆるみを防止でき、レンチやスパナ等の締め付け用の治具も必要なく、ナットを持ち込んで取り付ける必要もないため、作業性に優れ、落下する部材もなく、安全に作業ができ、部材管理も容易である。
【００１３】
また、規制手段が、胴部分から延在する腕部分であって、構造材に係止する場合には、腕部分を構造材側へ容易に変形して取り付け固定することができる。加えて規制手段によって外れ方向への回転を防止することができる。さらに、リップ溝形鋼の寸法誤差を吸収する機能があるため、リップ溝形鋼の寸法誤差による緩みに対処できる。
【００１４】
また、フレーム固定部が、中空部を挟んで左右の側壁が対向する金属枠体である場合には、単純な形状構成であるため、例えば型抜きした金属板材をプレス加工等して容易に作製することができ、低コストで製造することができる。
【００１５】
さらに、本発明の取付部材の施工方法は、構造材の上歯及び下歯を拡開状に変形（弾性的に付勢）して組み付けるものであり、フレーム固定部を回転させればよく、容易に取付部材を取り付けることができる。また、規制手段を容易に変形するなどし、容易に構造材に対して一体的に固定することができる。
【００１６】
さらに、前記取付部材を用いた本発明の外装構造は、前述のように取付部材の取付に際し、溶接作業もボルトやナット等の締め込みも不要であり、構造材に簡易かつ迅速に取り付けることができ、幹線道路や鉄道等の近隣地域での微振動による締着のゆるみを防止でき、それらの保持部に保持させて外装材を敷設できるので、工期が極めて短期間で行われ、工事の音が静かで、飛び火等の恐れがなく、騒音や火災等を懸念する近隣住民に配慮した構造及びである。
【図面の簡単な説明】
【００１７】
【図１】（ａ）本発明の一実施例（第１実施例）である取付部材を構造材（リップ溝形鋼）に取り付けた状態を示す斜視図、（ｂ）この取付部材を構造材（リップ溝形鋼）に取り付けるために回転させる状態を示す斜視図である。
【図２】（ａ）第１実施例の取付部材を構造材（リップ溝形鋼）に取り付けた状態を示す平面図、（ｂ）その正面図、（ｃ）その側断面図である。
【図３】（ａ）〜（ｃ）規制手段の位置及び変形のバリエーションを示す正面図及び側面図である。
【図４】（ａ）〜（ｃ）規制手段の位置及び変形のバリエーションを示す正面図及び側面図、（ｄ）足部分の他の一実施例を示す斜視図である。
【発明を実施するための形態】
【００１８】
本発明の取付部材は、リップ溝形鋼からなる構造材に折板屋根を簡単に素早く固定するための金具であって、溶接作業もボルトやナット等の締め込みも不要であって、弾性的な付勢によって取り付けることができるフレーム固定部を備え、さらに構造材に対する規制手段を設けた。
前記フレーム固定部は、組付状態において構造材の側面に並立すると共に構造材の上方へ延在し、構造材の開口部からその内部に位置させる足部分と、構造材の側面に並立させる胴部分と、上端の頭部分とからなり、前記胴部分と前記足部分との境には、上方が開放する上方係止溝及び下方が開放する下方係止溝を設けた構成である。
【００１９】
前述のようにフレーム固定部は、(Ａ)足部分と、(Ｂ)胴部分と、(Ｃ)頭部分とからなる。
【００２０】
(Ａ)足部分
足部分は、配設状態において、構造材の開口部からその内部に位置させる部位である。
この足部分は、胴部分との境に、それぞれ外側に向かって開放する２つの係止溝（上方係止溝、下方係止溝）を有する構成であり、上方係止溝よりさらに上方に位置する部位を上足部とし、下方係止溝よりさらに下方に位置する部位を下足部とする。前記上方係止溝は構造材の上歯に、下方係止溝は下歯に係止する（食い込むように固定させる）ものであるから、各係止溝の底部間の距離は、上歯と下歯との距離とほぼ同一に又は僅かに大きく形成しておくことが望ましい。前者の寸法が後者の寸法より小さい場合には、仮に弾性的な付勢によって固定されても緩い嵌合状態となってしまい、ズレ動く等の不具合が生じ易いからである。
【００２１】
(Ｂ)胴部分
胴部分は、配設状態において構造材の側面から構造材の上方まで延在する部位である。
この胴部分は、構造材の側面に並立すると共に構造材の上面から突出する主幹部分となっている。
【００２２】
この胴部分には、構造材に対する規制手段を設けるが、この規制手段としては、前記胴部分から延在する腕部分であって、適宜に変形等させることにより、構造材に係止するものであればよく、この腕部分の形状、並びに変形態様としては特に限定するものではない。そのため、取付部材は、より強固に構造材に取り付けられる。また、腕部分の係止は、取付部材を上方に引き上げる役目をも果たす。その結果、例えば構造材の上歯と下歯の間が広がっている場合や、構造材の上端から上歯の下端までの距離が短い場合などに、取付部材の構造材に対する取り付けが緩い可能性があるが、この腕部分の係止により、その緩みを解消することができる。また、前記腕部分を変形させるためにはハンマー等を用いてもよいが、音や腕部分の余計な変形を防ぐためにこの腕部分又は胴部分に補助孔等を設け、該補助孔に棒状治具を挿入した状態で変形させるようにしてもよい。
【００２３】
(Ｃ)頭部分
頭部分は、前記胴部分の上方に形成され、配設状態において上端に位置させる部位である。
この頭部分には、例えば後述する図示実施例のように外装材を保持するための形状（保持部）を設けることが好ましく、別途作成した保持部材をこの頭部分に一体的に固定するようにしてもよい。この保持部としては、取り付ける折板屋根の構造に応じた形状を適宜に選択すればよく、特に限定するものではない。
【００２４】
前記構成の取付部材のフレーム固定部（の頭部分）に直接或いは保持部材を介して保持される外装材は、保持される被保持部（側縁成形部）を備える以外の構成は特に限定するものではない。この取付部材は、構造材と直交する桟状に配設されるので、例えば後述する図示実施例のように、隣り合う取付部材間が谷部となって、取付部材に支持される部分が山部となる連続波状の外装面が構築されるようにしてもよい。
【００２５】
また、取付対象の構造材であるリップ溝形鋼は、主に母屋、梁等に用いられている軽量形鋼であり、Ｃ型鋼又はシーチャンネルとも呼称され、縦片状のウエブ部の上下にそれぞれフランジが直交状に形成され、上方に位置する上フランジの先端には下向き片（上歯）が形成され、下方に位置する下フランジの先端には上向き片（下歯）が形成されている。即ち本発明の説明では、上フランジの下向き片を上歯とし、下フランジの上向き片を下歯とした。
【００２６】
この取付部材のフレーム固定部は、例えば前記(Ｂ)胴部分を状体又は筒状体としてもよいが、後述する図示実施例のように中空部を挟んで左右の側壁が対向する略コ字状（略Ｕ字状）の金属枠体とすることが望ましい。この場合、単純な形状構成であるため、例えば型抜きした金属板材を曲げ加工して容易に作製することができ、低コストで製造することができる。
【００２７】
このような構成を有する本発明のリップ溝形鋼用取付部材は、溶接作業もボルトやナット等の締め込みも不要であって、電動工具を使用することなく弾性的な付勢によって取り付けることができるため「音」の発生が極めて少なく、近隣住民に配慮した工法である。また、ボルトやナット等の締め込みも不要であるため、レンチやスパナ等の締め付け用の治具も必要なく、ナットを持ち込んで取り付ける必要もなく、作業性に優れ、落下する部材もなく、安全に作業ができ、部材管理も容易である。
【実施例】
【００２８】
図１及び図２に示す本発明の一実施例であるリップ溝形鋼用取付部材（以下、単に取付部材という）１は、フレーム固定部１０が、足部分２と、腕部分（規制手段）３と、胴部分４と、頭部分５とからなり、リップ溝形鋼からなる構造材６に外装材７を敷設するために用いるものである。
【００２９】
前記フレーム固定部１０を構成する胴部分４は、配設状態において構造材６の側面から構造材６の上方まで延在する部位であって、構造材６の側面に並立すると共に構造材６の上面から突出する主幹部分となっている。
この第１実施例における胴部分４は、図１（ａ）に示すように縦長の正面壁４１の左右に中空部を挟んで対向する側壁４２，４２が設けられる略コ字状（略Ｕ字状）の金属枠体とした。そして、前記側壁４２は、後述する足部分２を除いて長さ方向（上下方向）に亘って略同一幅であるため、この胴部分４は略四角筒状に形成され、フレーム固定部１０の回転を妨げるものではない。
【００３０】
前記フレーム固定部１０を構成する足部分２は、配設状態において、構造材６の開口部６１からその内部に位置させる部位であって、前記側壁４２と略平行状に形成され、前記胴部分４との境に、それぞれ端部側に向かって開放する２つの係止溝（上方係止溝４２１、下方係止溝４２２）を有し、上方係止溝４２１よりさらに上方に位置する部位を上足部２１とし、下方係止溝４１２よりさらに下方に位置する部位を下足部２２とした。
この第１実施例における足部分２は、図１（ａ）に示すように前記側壁４２，４２から同一面状に延在する内側部分であり、胴部分４との境には上方が開放する上方係止溝４２１及び下方が開放する下方係止溝４２２が形成され、前記上方係止溝４２１の上方に位置する部位を上足部２１とし、前記下方係止溝４１２の下方に位置する部位を下足部２２とした。
【００３１】
前記フレーム固定部１０を構成する腕部分３は、配設状態において、構造材６の上面に位置させる部位であって、フレーム固定部１０の回転を妨げない限りはどのように形成しても良い。
この第１実施例における腕部分３は、図１（ａ）に示すように前記側壁４２，４２の高さ方向の略中央付近の奥端から外側へ延在する片状部分であって、その上端は略水平状に、その下端は傾斜状に形成され、基端側が広幅で外側に向かって狭くなるように形成されている。
【００３２】
前記フレーム固定部１０を構成する頭部分５は、前記胴部分４の上方に形成され、配設状態において上端に位置させる部位である。
この第１実施例における頭部分５は、外装材７を保持する保持部を設けた構成であり、この保持部は、図１（ａ）に示すように前記側壁４２，４２の高さ方向の上端の奥端外側へ延在する略扇状の受片５１，５１が形成され、該受片５１，５１の内側上端及び外側上端をそれぞれ前方へ折曲して被載置片５２，５２及び傾斜受支片５３，５３とし、傾斜受支片５３，５３とその下方に形成される空間とで被係合部５４，５４を形成している構成である。
【００３３】
前記リップ溝形鋼からなる構造材６は、図１（ａ）に示すように縦片状のウエブ部６１の上下にそれぞれフランジ６２，６３が直交状に形成され、上方に位置する上フランジ６２の先端には下向き片（上歯）６２１が形成され、下方に位置する下フランジ６３の先端には上向き片（下歯）６３１が形成されている。なお、符号６４は上歯６２１、下歯６３１間の開口部を指す。
【００３４】
前記頭部分５に保持される外装材７は、図２（ａ）に破線にて示すように略平坦状の面板７１の左右に傾斜状に立ち上がる側縁成形部７２，７２が設けられている。この側縁成形部７２の高さの途中には外側へ略く字状に折曲した係合部７２１が形成され、その上方には、傾斜状部７２２が、さらにその上方には、傾斜角度を緩くした載置部７３３が、さらにその上方には、断面略Ｕ字状に屈曲した第二係合部７２４が形成されている。
【００３５】
また、前記外装材７，７間に取り付けられるキャップ材８は、図２（ａ）に破線にて示すように断面略傘状の覆い部８１の左右に折り返し状の嵌合部８２，８２が形成された構成である。
【００３６】
前記構成を有するフレーム固定部１０を有する取付部材１を、前記構造材（リップ溝形鋼）６に固定する手順を図１（ｂ）に基づいて説明する。
まず、図示（１）の状態は、構造材６に対して取付部材１を傾倒状に臨ませ、下歯６３１上に左側の側壁４２の下方係止溝４２２をあてがいつつ、開口部６４から足部分２を内部に位置させた状態である。この状態で構造材６の上歯６２１には、取付部材１の右側の側壁４２の上方係止溝４２１が緩くあてがわれつつある。なお、一点鎖線で囲った部位Ｘは、下歯６３１に下方係止溝４２２をあてがった部分であり、回転の支点となる。
そして、図示（３）の状態は、取付部材１の頭部分５又は胴部分４を持って、破線矢印で示すように取付部材１を時計回りに回転（回動）させた状態であり、構造材６の上歯６２１に取付部材１の左右の側壁４２の上方係止溝４２１，４２１が食い込むと共に、下歯６３１に左右の側壁の４２の下方係止溝４３１，４３１が食い込んで強固に取り付けられている。
なお、図示（２）の状態は、前記（１）と（３）の中間の状態であって、取付部材１を回転する時に構造材６の上下の歯６２１，６３１の距離が一時的に開いた状態であって、この構造材６のスプリングバックによって取付部材１を固定することができる。
【００３７】
その後、図１（ａ）中に上方の一点鎖線で囲んだ前記腕部分（規制手段）３を、矢印方向へ、即ち構造材６の上面側へ折り曲げて係止させることにより、より一層強固に取り付け固定することができる。具体的には、この第１実施例の腕部分３は、前述のように基端側を広幅に形成したので、この腕部分３を折り曲げることにより、その基端付近の下端が構造材６の上フランジ６２上に係止する状態で取り付けられる。したがって、仮に構造材６の上歯６２１と下歯６３１の間が広がっている場合や、構造材６の上フランジ６２から上歯６２１の下端までの距離が短い場合に、前記足部分２の取付が緩い嵌合状態となることがあったとしても、この腕部分３を折り曲げて係止させることにより、取付部材１が上方に引き上げられ、その結果、取付部材１の構造材６に対する緩みが解消される。
【００３８】
このように施工される本発明の取付部材１は、電動工具を使用することなく弾性的な付勢によって取り付けることができるため「音」の発生が極めて少なく、近隣への配慮がなされた工法を実施できる。また、「音」の発生が極めて少ないため、夜間等においても取付が行える。さらに、ボルトやナット等の締め込みも不要であるため、幹線道路や鉄道等の近隣地域での微振動による締着のゆるみを防止でき、レンチやスパナ等の締め付け用の治具も必要なく、ナットを持ち込んで取り付ける必要もないため、作業性に優れ、落下する部材もなく、安全に作業ができ、部材管理も容易である。
【００３９】
また、この第１実施例では、腕部分（規制手段）３を、構造材６の上面側に折り曲げて係止させたので、より一層強固に取り付け固定することができる。さらに、リップ溝形鋼６の寸法誤差を吸収する機能があるため、リップ溝形鋼６の寸法誤差による緩みに対処できる。
【００４０】
さらに、この第１実施例では、フレーム固定部１０が、中空部を挟んで左右の側壁４２，４２が対向する金属枠体であり、単純な形状構成であるため、例えば型抜きした金属板材をプレス加工等して容易に作製することができ、低コストで製造することができた。
【００４１】
また、この第１実施例では、構造材６の上歯６２１及び下歯６３１を拡開状に変形（弾性的に付勢）して組み付けたので、胴部分４を把持して側方から叩くなどしてフレーム固定部１０を回転させればよく、容易に取付部材１を取り付けることができた。
【００４２】
このように構造材６に取り付けられた取付部材１に対し、外装材７を敷設するには、図２（ａ）には示していないが、隣り合う取付部材１，１間に前記構成の外装材７，７を配設し、外装材７の側縁成形部７２を取付部材１の頭部分に取り付ける。具体的には、取付部材１の頭部分５に形成した被係合部５４に側縁成形部７２の係合部７２１を弾性的に嵌合させ、傾斜受支片５３に傾斜状部７２２を、被載置片５２に載置部７３３をそれぞれ支持させ、左右の被載置片５２，５２間の空間部に第二係合部７２４，７２４を嵌合状に取り付けて保持させる。
さらに、前記構成のキャップ材８を、隣接する外装材７，７に跨るように配設し、上方から押圧するだけで覆い部８１が拡開状に変形して嵌合部８２，８２が前記外装材の係合部７２１，７２１の外側に弾性的に嵌合して取り付けられる。
【００４３】
こうして施工される外装構造は、前述のように取付部材１を、電動工具を使用することなく弾性的な付勢によって取り付けることができるため「音」の発生が極めて少なく、ボルトやナット等の締め込みが不要であり、構造材に簡易かつ迅速に取り付けることができ、幹線道路や鉄道等の近隣地域での微振動による締着のゆるみを防止でき、その頭部分５に外装材７及びキャップ材８を配設できるので、工期が極めて短期間で行われ、工事の音が静かで、落下する部材もなく、溶接等に起因する飛び火等の恐れもなく、騒音や火災等を懸念する近隣住民に配慮した構造及び工法である。
【００４４】
図３（ａ）〜（ｆ）は、規制手段（腕部分）を形成する位置及びそれを変形して構造材６に係止させるバリエーションを示す。
まず、図３（ａ）では断面略Ｌ字片状に腕部分（規制手段）３Ａを形成し、前記第１実施例と同様に構造材６の上フランジ６２側へ折り曲げて横片部分３１を構造材６の上フランジ６２に面状に係止でき、より安定且つ一体的に固定することができる。
図３（ｂ）では、略中央に補助孔３２を形成した略矩形状片に腕部分（規制手段）３Ｂを形成し、先端が前記補助孔３２より大径の治具（図示せず）をあてがった状態で前記第１実施例と同様に構造材６の上フランジ６２側へ折り曲げることにより、静かに且つ容易に腕部分３Ｂを上フランジ６２に係止でき、一体的に固定することができる。
図３（ｃ）では、腕部分（規制手段）４Ｃ自体は前記第１実施例とほぼ同様であるが、胴部分４の側壁４２に補助孔４２３を設け、その上面図に示すようにこの補助孔４２３に棒状治具９を挿入して矢印方向に倒すことにより、静かに且つ容易に腕部分４Ｃを上フランジ６２に係止でき、一体的に固定することができる。
図４（ａ）では、腕部分３Ｄを内側へ複数形成し、胴部分４の正面壁４１に補助孔４１１を設け、その平面図及び側面図に示すようにこの補助孔４１１に棒状治具９を挿入して矢印方向に倒すことにより、静かに且つ容易に腕部分４Ｆを上フランジ６２に係止でき、一体的に固定することができる。
図４（ｂ）では、腕部分３Ｅを内側へ形成し、胴部分４の正面壁４１に補助孔４１１を設け、その側面図に示すようにこの補助孔４１１に棒状治具９を挿入して矢印方向に倒すことにより、静かに且つ容易に腕部分４Ｅを上フランジ６２に係止でき、一体的に固定することができる。
また、図４（ｃ）では、腕部分３Ｆを側壁４２に切り起こし片にて形成したものであって、敷設状態で図中に矢印で示すように上フランジ６２の上歯６２１の先端（下端）に当接する係止され、一体的に固定することができる。
なお、図４（ｄ）は、足部分２'を前記正面壁４１と略平行状に形成した例であり、左右の側壁４２，４２の先端を外側へ向かって略垂直状に設曲して形成した例である。
【符号の説明】
【００４５】
１  取付部材
１０  フレーム固定部
２  足部分
２１  上足部
２２  下足部
３，３Ａ〜３Ｆ  規制手段（腕部分）
４  胴部分
４１  正面壁
４２  側壁
４２１  上方係止溝
４２２  下方係止溝
５  頭部分
６  構造材（リップ溝形鋼）
６１  ウエブ部
６２  上フランジ
６２１  上歯
６３  下フランジ
６３１  下歯
６４  開口部
７  外装材
７１  面板部
７２  側縁成形部
７２１  係合部
７２２  傾斜状部
７３３  載置部
７３４  第二係合部
８  キャップ材
８１  覆い部
８２  嵌合部
【図１】
2014125833.tif 000003
【図２】
2014125833.tif 000004
【図３】
2014125833.tif 000005
【図４】
2014125833.tif 000006